(57)【要約】【課題】外部の商用電源からの電力を用いるＬＥＤ照明装置では、整流後に平滑用の電解コンデンサを有する。ＬＥＤ照明装置への電力供給を停止すると、この電解コンデンサに蓄電されていた電力を放電した後にＬＥＤが消灯する。次に交流電力のＬＥＤ照明装置への供給を再開すると、上記電解コンデンサが蓄電されるまでの間ＬＥＤが点灯しない。【解決手段】外部の交流電源からの２本の配線の一方から第３の配線を延出し、この第３の配線に点消灯用スイッチを設けると共に、この点消灯スイッチがオンの状態で点灯信号を出力する点灯指示検知部を設け、上記ＤＣ−ＤＣコンバータ部に、点灯指示検知部からの点灯信号が入力されている状態でＤＣ−ＤＣコンバータ部を機能させ、点灯信号の入力が停止するとＤＣ−ＤＣコンバータ部の機能を停止させてＬＥＤを消灯させるようにした。【選択図】  図２
2020191273.tif 000002
【特許請求の範囲】
【請求項１】
外部の交流電源から供給される電力を整流し平滑コンデンサで平滑された直流電力を発生させる電源部と、この電源部が出力する直流電力を所望する電圧の直流電力に変換するＤＣ−ＤＣコンバータ部とを備え、このＤＣ−ＤＣコンバータ部で変換された直流電力でＬＥＤを点灯させるＬＥＤ照明装置において、上記外部の交流電源から電源部に交流電力を供給する２本の配線の他に、これら２本の配線のいずれか一方から第３の配線を延出し、この第３の配線に点消灯用スイッチを設けると共に、この点消灯スイッチがオンの状態で点灯信号を出力する点灯指示検知部を設け、上記ＤＣ−ＤＣコンバータ部に、点灯指示検知部からの点灯信号が入力されている状態でＤＣ−ＤＣコンバータ部を機能させ、点灯信号の入力が停止するとＤＣ−ＤＣコンバータ部の機能を停止させて上記ＬＥＤへの直流電力の供給を停止させてＬＥＤを消灯させる信号入力部を設けたことを特徴とするＬＥＤ照明装置。
【請求項２】
上記ＬＥＤは屋内の天井もしくは壁面に固定された照明器具内に設けられ、上記点消灯スイッチはこの屋内の壁面に取り付けられたことを特徴とする請求項１に記載のＬＥＤ照明装置。
【発明の詳細な説明】
【技術分野】
【０００１】
本発明は、ＬＥＤ照明装置とは別の場所に設けられた壁スイッチなどの点消灯用スイッチによって点消灯するＬＥＤ照明装置であって、外部の商用電源から供給される電力によって作動するものに関する。
【背景技術】
【０００２】
上述のような外部の商用電源からの交流電力によってＬＥＤを点灯するＬＥＤ照明装置では、ＬＥＤの点灯に必要な直流電力を得るために、外部から供給される交流電力を整流する電源部を備えている。そして、その電源部で得られた直流電力の電圧をＬＥＤの点灯に適した電圧に変換するため、ＤＣ−ＤＣコンバータを備えている（例えば、特許文献１参照）。
【０００３】
このＤＣ−ＤＣコンバータでは、電源部で整流された直流電力をパルス状に断続させ、その断続した直流電力を変圧トランスの１次側に供給することによって、変圧トランスの２次側に所望する電圧の電力を発生させるように構成されている。
【０００４】
また、上記ＬＥＤ照明装置の点消灯はＬＥＤ照明装置へ外部からの交流電力を供給すればＬＥＤが点灯し、供給を停止すれば消灯する。そのため、上記商用電源からＬＥＤ照明装置に交流電力を供給する２本の配線の一方に点消灯のスイッチとしてオンオフスイッチを開設し、この点消灯用のスイッチをオンにすることによってＬＥＤを点灯させ、オフにすることによってＬＥＤを消灯させている。
【先行技術文献】
【特許文献】
【０００５】
【特許文献１】特開２０１４−１３６９８号公報（図１〜図３）
【発明の概要】
【発明が解決しようとする課題】
【０００６】
上記従来のような外部の商用電源からの電力を用いるＬＥＤ照明装置では、交流電力を整流した後に平滑化するための電解コンデンサを用いている。ＬＥＤを消灯するためにスイッチをオフにしてＬＥＤ照明装置への電力供給を停止すると、平滑化用の電解コンデンサに蓄電されていた電力を放電した後にＬＥＤが消灯する。次にスイッチをオンにして交流電力のＬＥＤ照明装置への供給を再開してＬＥＤを点灯する際には、上記電解コンデンサが蓄電されるまでの間ＬＥＤが点灯しない。すなわち、スイッチをオンにした瞬間からＬＥＤが実際に点灯するまでの間にタイムラグが生じる。特に上記スイッチによって他の照明装置も同時に点灯させるような場合に、その他の照明装置にタイムラグが生じないと、スイッチをオンにした時点から各照明装置が点灯するタイミンクにずれが生じ、違和感を覚えるという不具合が生じる。
【０００７】
そこで本発明は、上記の問題点に鑑み、スイッチをオンにした時点からＬＥＤが実際に点灯するまでのタイムラグを可及的に短くすることのできるＬＥＤ照明装置を提供することを課題とする。
【課題を解決するための手段】
【０００８】
上記課題を解決するために本発明によるＬＥＤ照明装置は、外部の交流電源から供給される電力を整流し平滑コンデンサで平滑された直流電力を発生させる電源部と、この電源部が出力する直流電力を所望する電圧の直流電力に変換するＤＣ−ＤＣコンバータ部とを備え、このＤＣ−ＤＣコンバータ部で変換された直流電力でＬＥＤを点灯させるＬＥＤ照明装置において、上記外部の交流電源から電源部に交流電力を供給する２本の配線の他に、これら２本の配線のいずれか一方から第３の配線を延出し、この第３の配線に点消灯用スイッチを設けると共に、この点消灯スイッチがオンの状態で点灯信号を出力する点灯指示検知部を設け、上記ＤＣ−ＤＣコンバータ部に、点灯指示検知部からの点灯信号が入力されている状態でＤＣ−ＤＣコンバータ部を機能させ、点灯信号の入力が停止するとＤＣ−ＤＣコンバータ部の機能を停止させて上記ＬＥＤへの直流電力の供給を停止させてＬＥＤを消灯させる信号入力部を設けたことを特徴とする。
【０００９】
ＬＥＤを消灯する際に外部の交流電源からの電極供給を停止すると、次にＬＥＤを点灯する際に平滑コンデンサが充電されるまでのタイムラグが発生する。そこで、ＬＥＤを消灯する際にも外部からの電力供給は停止せずＤＣ−ＤＣコンバータ部を停止させることによってＬＥＤを消灯させるようにした。これにより次回ＬＥＤを点灯する際にＤＣ−ＤＣコンバータの機能を再開させるだけで良く、すでに充電状態にある平滑コンデンサの充電のための時間が不要になる。
【００１０】
なお、上記ＬＥＤは屋内の天井もしくは壁面に固定された照明器具内に設けられ、上記点消灯スイッチはこの屋内の壁面に取り付けられた構成に適用することが望ましい。
【発明の効果】
【００１１】
以上の説明から明らかなように、本発明は、ＬＥＤの再点灯の際に、すでに充電状態にある平滑コンデンサをさらに充電する必要が無いので、点消灯用のスイッチをオンにした瞬間から実際にＬＥＤが点灯するまでのタイムラグを可及的に短くすることができる。
【図面の簡単な説明】
【００１２】
【図１】本発明の一実施の形態の構成を示す図
【図２】ＬＥＤ照明装置の構造を示すブロック図
【発明を実施するための形態】
【００１３】
図１を参照して、１はリビングルームＬＲの天井ＣＬに取り付けられたＬＥＤ照明装置である。このＬＥＤ照明装置１の点消灯は壁Ｗに設けられた点消灯スイッチ（以下、壁スイッチという）２をオンオフすることによって行われる。
【００１４】
図２を参照して、このＬＥＤ照明装置１には外部の商用電源３から１００ボルトの交流電力の供給を受けている。この交流電力を整流子１１で全波整流した後、電解コンデンサ（平滑コンデンサ）１２で平滑化している。この電解コンデンサ１２を通過した直流電力は、ＤＣ−ＤＣコンバータ部４が発振することによって所定の周波数のパルス信号として変圧トランス１３の１次側に供給される。この変圧トランス１３の２次側には所定の電圧の交流電力が発生し、その所定の電圧の交流電力を２次側で再度整流し、さらに平滑化して制御部１４に供給される。この制御部１４ではＬＥＤ１５に対して定電流制御を行ってＬＥＤ１５を所定の明るさで点灯させる。
【００１５】
上記ＤＣ−ＤＣコンバータ部４にはフィードバック端子が設けられており、そのフィードバック端子に信号が入力されている状態でＤＣ−ＤＣコンバータ部４は作動（発振）し続ける。そして、フィードバック端子に信号が入力されない状態になると、ＤＣ−ＤＣコンバータ部４は発振を停止して、変圧トランス１３の２次側に電力を発生させなくなる。その結果、ＬＥＤ１５は消灯する。
【００１６】
本実施の形態では上記フィードバック端子に点灯信号検知部４１を接続した。この点灯信号検知部４１には上記壁スイッチ２が接続されており、この壁スイッチ２がオン状態であれば、商用電源３の交流電力が点灯信号検知部４１に印加されて、点灯信号検知部４１からＤＣ−ＤＣコンバータ部４のフィードバック端子に信号が出力される。そして、その結果ＬＥＤ１５が点灯する。
【００１７】
壁スイッチ２がオフになると、点灯信号検知部４１には交流電力が印加されない状態になるので、点灯信号検知部４１からＤＣ−ＤＣコンバータ部４のフィードバック端子に信号が出力されない状態になり、その結果、ＬＥＤ１５は消灯する。ただし、この消灯状態であっても上記電解コンデンサ１２は放電せず蓄電された状態のままであるので、次に壁スイッチ２がオン状態されると、電解コンデンサ１２の充電に時間を要することなく直ちにＤＣ−ＤＣコンバータ部４は発振を再開して、ＬＥＤ１５を点灯させる。従って、壁スイッチ２がオンされた瞬間から実際にＬＥＤ１５が点灯するまでのタイムロスを可及的に短くすることができる。
【００１８】
なお、本発明は上記した形態に限定されるものではなく、本発明の要旨を逸脱しない範囲内において種々の変更を加えてもかまわない。
【符号の説明】
【００１９】
１ ＬＥＤ照明装置
２ 壁スイッチ
３ 商用電源
４ ＤＣ−ＤＣコンバータ部
１２ 電解コンデンサ
１３ 変圧トランス
１４ 制御部
【図１】
2020191273.tif 000003
【図２】
2020191273.tif 000004